(57)【特許請求の範囲】
【請求項１】
出力装置であって、
第１の映像と第２の映像とが合成されたデータを生成するための所定の手段を表示装置が有しているか否かに基づいて、撮影に関連するデータを含む付加データを前記表示装置に送信するための処理を異ならせるようにし、
前記第１の映像は、前記出力装置から受信された映像データに対応する映像であり、
前記第２の映像は、前記出力装置から受信された付加データに対応する映像であることを特徴とする出力装置。
【請求項２】
前記表示装置が前記所定の手段を有している場合、所定の映像データが前記表示装置に送信されないようにし、
前記所定の映像データは、映像データに対応する映像と、付加データに対応する映像とが合成されることによって生成されることを特徴とする請求項１に記載の出力装置。
【請求項３】
前記表示装置が前記所定の手段を有している場合、所定の映像データの送信が行われることなく、映像データの送信と、付加データの送信とが行われるようにし、
前記所定の映像データは、映像データに対応する映像と、付加データに対応する映像とが合成されることによって生成されることを特徴とする請求項１または２に記載の出力装置。
【請求項４】
前記表示装置が前記所定の手段を有していない場合、所定の映像データが前記表示装置に送信されるようにし、
前記所定の映像データは、映像データに対応する映像と、付加データに対応する映像とが合成されることによって生成されることを特徴とする請求項１から３のいずれか１項に記載の出力装置。
【請求項５】
前記表示装置が前記所定の手段を有していない場合、付加データの送信が行われることなく、前記所定の映像データが前記表示装置に送信されるようにし、
前記所定の映像データは、映像データに対応する映像と、付加データに対応する映像とが合成されることによって生成されることを特徴とする請求項１から４のいずれか１項に記載の出力装置。
【請求項６】
付加データには、前記出力装置によって前記表示装置に送信される映像データに関連するデータが含まれることを特徴とする請求項１から５のいずれか１項に記載の出力装置。
【請求項７】
付加データには、撮影日時を示すデータ、シャッター速度を示すデータ及びＩＳＯ感度を示すデータの少なくとも一つが含まれることを特徴とする請求項１から６のいずれか１項に記載の出力装置。
【請求項８】
出力装置であって、
第１の映像と第２の映像とが合成されたデータを生成するための所定の手段を表示装置が有しているか否かに基づいて、ファイル名を示すデータを含む付加データを前記表示装置に送信するための処理を異ならせるようにし、
前記第１の映像は、前記出力装置から受信された映像データに対応する映像であり、
前記第２の映像は、前記出力装置から受信された付加データに対応する映像であることを特徴とする出力装置。
【請求項９】
前記表示装置が前記所定の手段を有している場合、所定の映像データが前記表示装置に送信されないようにし、
前記所定の映像データは、映像データに対応する映像と、付加データに対応する映像とが合成されることによって生成されることを特徴とする請求項８に記載の出力装置。
【請求項１０】
前記表示装置が前記所定の手段を有している場合、所定の映像データの送信が行われることなく、映像データの送信と、付加データの送信とが行われるようにし、
前記所定の映像データは、映像データに対応する映像と、付加データに対応する映像とが合成されることによって生成されることを特徴とする請求項８または９に記載の出力装置。
【請求項１１】
前記表示装置が前記所定の手段を有していない場合、所定の映像データが前記表示装置に送信されるようにし、
前記所定の映像データは、映像データに対応する映像と、付加データに対応する映像とが合成されることによって生成されることを特徴とする請求項８から１０のいずれか１項に記載の出力装置。
【請求項１２】
前記表示装置が前記所定の手段を有していない場合、付加データの送信が行われることなく、前記所定の映像データが前記表示装置に送信されるようにし、
前記所定の映像データは、映像データに対応する映像と、付加データに対応する映像とが合成されることによって生成されることを特徴とする請求項８から１１のいずれか１項に記載の出力装置。
【請求項１３】
付加データには、前記出力装置によって前記表示装置に送信される映像データに関連するデータが含まれることを特徴とする請求項８から１２のいずれか１項に記載の出力装置。
【請求項１４】
出力装置であって、
第１の映像と第２の映像とが合成されたデータを生成するための所定の手段を表示装置が有しているか否かに基づいて、サムネイル画像を含む付加データを前記表示装置に送信するための処理を異ならせるようにし、
前記第１の映像は、前記出力装置から受信された映像データに対応する映像であり、
前記第２の映像は、前記出力装置から受信された付加データに対応する映像であることを特徴とする出力装置。
【請求項１５】
前記表示装置が前記所定の手段を有している場合、所定の映像データが前記表示装置に送信されないようにし、
前記所定の映像データは、映像データに対応する映像と、付加データに対応する映像とが合成されることによって生成されることを特徴とする請求項１４に記載の出力装置。
【請求項１６】
前記表示装置が前記所定の手段を有している場合、所定の映像データの送信が行われることなく、映像データの送信と、付加データの送信とが行われるようにし、
前記所定の映像データは、映像データに対応する映像と、付加データに対応する映像とが合成されることによって生成されることを特徴とする請求項１４または１５に記載の出力装置。
【請求項１７】
前記表示装置が前記所定の手段を有していない場合、所定の映像データが前記表示装置に送信されるようにし、
前記所定の映像データは、映像データに対応する映像と、付加データに対応する映像とが合成されることによって生成されることを特徴とする請求項１４から１６のいずれか１項に記載の出力装置。
【請求項１８】
前記表示装置が前記所定の手段を有していない場合、付加データの送信が行われることなく、前記所定の映像データが前記表示装置に送信されるようにし、
前記所定の映像データは、映像データに対応する映像と、付加データに対応する映像とが合成されることによって生成されることを特徴とする請求項１４から１７のいずれか１項に記載の出力装置。
【請求項１９】
付加データには、前記出力装置によって前記表示装置に送信される映像データに関連するデータが含まれることを特徴とする請求項１４から１８のいずれか１項に記載の出力装置。
【請求項２０】
出力装置であって、
所定の映像データを生成するための第１の生成手段を有し、
第１の映像と第２の映像とが合成されたデータを生成するための第２の生成手段を表示装置が有しているか否かに基づいて、付加データを前記表示装置に送信するための処理を異ならせるようにし、
前記表示装置が前記第２の生成手段を有している場合、前記第１の生成手段の機能と前記第２の生成手段の機能との比較の結果に基づいて、付加データを前記表示装置に送信するための処理を異ならせるようにし、
前記第１の映像は、前記出力装置から受信された映像データに対応する映像であり、
前記第２の映像は、前記出力装置から受信された付加データに対応する映像であり、
前記所定の映像データは、映像データに対応する映像と、付加データに対応する映像とが合成されることによって生成されることを特徴とする出力装置。
【請求項２１】
前記第１の生成手段の機能が前記第２の生成手段の機能よりも優れていない場合、前記所定の映像データが前記表示装置に送信されないようにすることを特徴とする請求項２０に記載の出力装置。
【請求項２２】
前記第１の生成手段の機能が前記第２の生成手段の機能よりも優れている場合、前記所定の映像データの送信が行われるようにすることを特徴とする請求項２０または２１に記載の出力装置。
【請求項２３】
前記表示装置が前記第２の生成手段を有していない場合、前記所定の映像データが前記表示装置に送信されるようにすることを特徴とする請求項２０から２２のいずれか１項に記載の出力装置。
【請求項２４】
前記表示装置が前記第２の生成手段を有していない場合、付加データの送信が行われることなく、前記所定の映像データが前記表示装置に送信されるようにすることを特徴とする請求項２０から２３のいずれか１項に記載の出力装置。
【請求項２５】
付加データには、前記出力装置によって前記表示装置に送信される映像データに関連するデータが含まれることを特徴とする請求項２０から２４のいずれか１項に記載の出力装置。
【請求項２６】
請求項１から２５のいずれか１項に記載の出力装置を制御する方法。
【請求項２７】
コンピュータを請求項１から２５のいずれか１項に記載の出力装置として機能させるためのプログラム。
【発明の詳細な説明】
【技術分野】
【０００１】
本発明は、出力装置、方法及びプログラムに関する。
【背景技術】
【０００２】
従来より、カメラとテレビ等の表示装置とを接続し、カメラ内の画像データを再生して、映像とともに撮影情報等の付加情報を表示装置に表示させる際、カメラ内部で映像に付加情報を合成して表示装置に出力する。
【０００３】
一方、大画面で映画等の動画を楽しむと同時に、それを妨害することなく小画面で文字情報等から知識を求めるような感覚を味わえるテレビ装置が提案されている（特許文献１参照）。具体的には、比較的大画面である第１のディスプレイを含む第１ユニットと、比較的小画面である第２のディスプレイを含む第２ユニットとで構成される。そして、動画情報と付加情報とを含むテレビジョン信号を受信して表示する際、第１のディスプレイに主として動画情報を、第２のディスプレイに主として付加情報をそれぞれ映出すようにする。
【特許文献１】特開平１１−２２５２９９号公報
【発明の開示】
【発明が解決しようとする課題】
【０００４】
上述のように、デジタルカメラ、ビデオカメラ、ビデオレコーダ、ＤＶＤプレーヤ等の映像出力装置からの映像をテレビ等の表示装置に表示させる際、映像出力装置内部で映像に付加情報が合成処理される。
【０００５】
しかしながら、映像に付加情報が重ね合わせて表示されると、画像の鑑賞が妨げられてしまうという問題があった。また、デジタルカメラ等が有する小型ディスプレイに表示することを想定して合成処理された映像信号をテレビ等の大型ディスプレイに拡大表示させると、付加情報が拡大処理されて文字の精細度が悪くなってしまうという問題があった。また、映像に各種ＯＳＤ（Ｏｎ  Ｓｃｒｅｅｎ  Ｄｉｓｐｌａｙ）画面を合成して表示させる場合も同様の問題があった。
【０００６】
そこで、本発明は、映像と他の情報とを適切な伝送形態で表示装置に出力するようにすることを目的とする。
【課題を解決するための手段】
【０００７】
本発明に係る出力装置は、出力装置であって、第１の映像と第２の映像とが合成されたデータを生成するための所定の手段を表示装置が有しているか否かに基づいて、撮影に関連するデータを含む付加データを前記表示装置に送信するための処理を異ならせるようにし、前記第１の映像は、前記出力装置から受信された映像データに対応する映像であり、前記第２の映像は、前記出力装置から受信された付加データに対応する映像であることを特徴とする。
また、本発明に係る出力装置は、出力装置であって、第１の映像と第２の映像とが合成されたデータを生成するための所定の手段を表示装置が有しているか否かに基づいて、ファイル名を示すデータを含む付加データを前記表示装置に送信するための処理を異ならせるようにし、前記第１の映像は、前記出力装置から受信された映像データに対応する映像であり、前記第２の映像は、前記出力装置から受信された付加データに対応する映像であることを特徴とする。
また、本発明に係る出力装置は、出力装置であって、第１の映像と第２の映像とが合成されたデータを生成するための所定の手段を表示装置が有しているか否かに基づいて、サムネイル画像を含む付加データを前記表示装置に送信するための処理を異ならせるようにし、前記第１の映像は、前記出力装置から受信された映像データに対応する映像であり、前記第２の映像は、前記出力装置から受信された付加データに対応する映像であることを特徴とする。
また、本発明に係る出力装置は、出力装置であって、所定の映像データを生成するための第１の生成手段を有し、第１の映像と第２の映像とが合成されたデータを生成するための第２の生成手段を表示装置が有しているか否かに基づいて、付加データを前記表示装置に送信するための処理を異ならせるようにし、前記表示装置が前記第２の生成手段を有している場合、前記第１の生成手段の機能と前記第２の生成手段の機能との比較の結果に基づいて、付加データを前記表示装置に送信するための処理を異ならせるようにし、前記第１の映像は、前記出力装置から受信された映像データに対応する映像であり、前記第２の映像は、前記出力装置から受信された付加データに対応する映像であり、前記所定の映像データは、映像データに対応する映像と、付加データに対応する映像とが合成されることによって生成されることを特徴とする。
【発明の効果】
【００１１】
本発明によれば、映像と他の情報とを適切な伝送形態で表示装置に出力することが可能となる。
【発明を実施するための最良の形態】
【００１２】
以下、図面を用いて本発明の実施の形態について説明する。
【００１３】
（実施の形態１）
図１は、本発明の実施の形態１に係る表示システムの概略構成を示すブロック図である。この表示システムは、ケーブル２９で互いに接続された映像出力装置１０と表示装置２０とで構成される。
【００１４】
映像出力装置１０は、記憶部１１、映像復号部１２、付加情報抽出部１３、出力部１４、通信部１５、属性情報取得部１６、判定部１７、通信Ｉ／Ｆ１８及び操作部１９を備える。映像出力装置１０は、例えばデジタルカメラ、ビデオカメラ、ビデオレコーダ、ＤＶＤプレーヤ等の再生機能を有する装置である。表示装置２０は、通信Ｉ／Ｆ２１、通信部２２、映像処理部２３、データ処理部２４、表示制御部２５、メインディスプレイ２６、サブディスプレイ２７及び記憶部２８を備える。表示装置２０は、例えばテレビ装置やパーソナルコンピュータ等のディスプレイを有する装置である。
【００１５】
記憶部１１は、例えば内蔵ＨＤＤ（Ｈａｒｄ  Ｄｉｓｋ  Ｄｒｉｖｅ）や、外付けＨＤＤ、ＳＤ（Ｓｅｃｕｒｅ  Ｄｉｇｉｔａｌ）カード等である。この記憶部１１には、静止画像データや動画像データ及びそれらに付随する付加情報が格納されている。例えば、ＪＰＥＧ形式の静止画像データには、ファイル名や撮影情報等の付加情報がＥＸＩＦ形式で付随している。また、ＭＰＥＧ形式の動画像データには、映像パケット及び音声パケットの他、ファイル名や番組情報、字幕情報等の付加情報のパケットが付随している。
【００１６】
操作部１９は、映像出力装置１０を遠隔操作可能なリモコン、又は映像出力装置１０本体に設けられた操作キーであり、画像データの再生指示や付加情報の表示指示等のユーザによる操作指示を受け付ける。画像データの再生指示は操作部１９から記憶部１１及び映像復号部１２に伝えられ、付加情報の表示指示は操作部１９から付加情報抽出部１３に伝えられる。
【００１７】
映像復号部１２は、ユーザから画像データの再生指示がされた場合に、再生対象の画像データを記憶部１１から読出して復号して映像信号を生成する。付加情報抽出部１３は、ユーザから付加情報の表示指示を受けた場合に、再生対象の画像データに付随する付加情報を記憶部１１から抽出して、出力部１４及び判定部１７に出力する。
【００１８】
通信部１５は、通信Ｉ／Ｆ１８及びケーブル２９を介して表示装置２０と通信を行う。通信部１５は、表示装置２０との通信開始時に表示装置２０の属性情報を受信して属性情報取得部１６に与える。属性情報取得部１６は、通信部１５を介して表示装置２０の属性情報を取得する。この属性情報は、例えば表示装置２０の個体識別情報（メーカ名、型番等）等、表示装置２０のディスプレイの数が識別可能な情報である。
【００１９】
判定部１７は、属性情報取得部１６が取得した表示装置２０の属性情報に基づいて、映像復号部１２からの映像信号に付加情報抽出部１３により抽出された付加情報を合成するか否かを判定する。出力部１４は、判定部１７により「合成する」と判定された場合は、映像復号部１２からの映像信号に、付加情報抽出部１３により抽出された付加情報を合成して通信部１５に出力する。また、出力部１４は、判定部１７により「合成しない」と判定された場合は、付加情報抽出部１３により抽出された付加情報を合成しないで、映像復号部１２からの映像信号を通信部１５に出力する。
【００２０】
通信部１５は、出力部１４から出力された映像信号及び付加情報を通信Ｅ／Ｆ１８及びケーブル２９を介して表示装置２０に送信する。映像信号と付加情報は、同一のケーブル２９を介してそれぞれ異なる転送チャンネル（転送経路）で伝送される。ケーブル２９は、例えばＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格やＤＶＩ（Ｄｉｇｉｔａｌ  Ｖｉｓｕａｌ  Ｉｎｔｅｒｆａｃｅ）規格に準拠したケーブルである。例えばＨＤＭＩケーブルの場合は、映像信号はＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）転送チャンネルで伝送される。また、付加情報や属性情報のやりとりにはＣＥＣ（Ｃｏｎｓｕｍｅｒ  Ｅｌｅｃｔｒｏｎｉｃｓ  Ｃｏｎｔｒｏｌ）転送チャンネルもしくはＤＤＣ（Ｄｉｓｐｌａｙ  Ｄａｔａ  Ｃｈａｎｎｅｌ）転送チャンネルが使用される。なお、図示しないが、表示装置２０のリモコンを用いて映像出力装置１０を操作することも可能であり、その場合は操作制御信号がＣＥＣ転送チャンネルを介して表示装置２０から映像出力装置１０に送られる。
【００２１】
通信部２２は、通信Ｅ／Ｆ２１及びケーブル２９を介して映像出力装置１０と通信を行う。記憶部２８には、表示装置２０の属性情報（個体識別情報（メーカ名、型番等））が予め格納されている。通信部２２は、映像出力装置１０との通信開始時に記憶部２８から属性情報を読出して、映像出力装置１０に送信する。また、この通信部２２は、映像出力装置１０から伝送された映像信号及び付加情報を受信して、映像信号を映像処理部２３に出力し、付加情報をデータ処理部２４に出力する。映像処理部２３は、通信部２２から受けた映像信号に対して画質補正等の信号処理等を施して、表示制御部２５に出力する。データ処理部２４は、通信部２２から受けた付加情報を展開して各種データ処理を施し、表示制御部２５に出力する。
【００２２】
表示制御部２５は、映像処理部２３からの映像信号をメインディスプレイ２６に出力し、データ処理部２４からの付加情報をサブディスプレイ２７に出力する。ただし、サブディスプレイ２７に他の情報が表示されているために、付加情報を表示できない場合、表示制御部２５は、映像処理部２３からの映像信号にデータ処理部２４からの付加情報を合成してメインディスプレイ２６に出力する。
【００２３】
メインディスプレイ２６は、大画面・高解像度で表現能力の高いディスプレイである。サブディスプレイ２７は、小画面・低解像度で表現能力の低いディスプレイである。ただし、しかしこれに限定されることはなく、サブディスプレイ２７がメインディスプレイ２６と同様の表現能力を有するディスプレイであってもよい。
【００２４】
図２は、映像出力装置１０の判定部１７の動作について説明するためのフローチャートである。ステップＳ１において、判定部１７は、属性情報取得部１６が取得した表示装置２０の個体識別情報（メーカ名、型番等）等の属性情報に基づいて、判定テーブルを参照して表示装置２０がサブディスプレイを有するか否かを判別する。
【００２５】
図３は、判定部１７が判定動作に用いる判定テーブルの一例を示す図である。このような判定テーブルは、映像出力装置１０内に予め格納される。図３の判定テーブルを参照して、メーカ名「ＡＡＡ」の型番「Ａ−○○Ｘ１０００」，「Ａ−○○Ｘ２０００」及びメーカ名「ＢＢＢ」の型番「Ｂ−○○Ｘ１０００」はサブディスプレイを有しないと判別される。また、メーカ名「ＡＡＡ」の型番「Ａ−○○Ｘ３０００」，及びメーカ名「ＢＢＢ」の型番「Ｂ−○○Ｘ２０００」「Ｂ−○○Ｘ３０００」はサブディスプレイを有すると判別される。
【００２６】
ここで、表示装置２０がサブディスプレイを有すると判別された場合（ＹＥＳ）は、ステップＳ２に進み、映像復号部１２からの映像信号に付加情報を「合成しない」と判定する。一方、表示装置２０がサブディスプレイを有しないと判別された場合（ＮＯ）は、ステップＳ４に進み、映像復号部１２からの映像信号に付加情報を「合成する」と判定する。
【００２７】
判定部１７は、ステップＳ２で「合成しない」と判定した後、ステップＳ３に進み、付加情報抽出部１３により抽出された付加情報のうちサブディスプレイに表示可能な情報を特定する。この際、判定部１７は、図３に示した判定テーブルを参照する。例えば、メーカ名「ＡＡＡ」の型番「Ａ−○○Ｘ３０００」がサブディスプレイに表示可能な情報は「ファイル名」及び「撮影日時」であると判別する。また、メーカ名「ＢＢＢ」の型番「Ｂ−○○Ｘ２０００」がサブディスプレイに表示可能な情報は「ファイル名」、「撮影日時」、「シャッター速度」、「ＩＳＯ感度」であると判別する。また、型番「Ｂ−○○Ｘ３０００」は、更に「サムネイル画像」もサブディスプレイに表示可能であると判別する。そして、サブディスプレイに表示可能であると特定された情報が、映像出力装置１０から表示装置２０に送信される。ただし、ステップＳ３を省略して、付加情報抽出部１３により抽出された付加情報を全て表示装置２０に送信し、表示装置２０内で必要な情報を選択してサブディスプレイ２７に表示させる構成としてもよい。
【００２８】
図１に示した表示装置２０はサブディスプレイ２７を有しているため、映像出力装置１０から表示装置２０へは、映像信号と付加情報とが合成されないで伝送される。
【００２９】
図４は、付加情報が映像信号に合成されないで伝送された場合の画面表示例を示す図である。メインディスプレイには、再生された画像データの映像が表示され、サブディスプレイには、メインディスプレイに表示されている画像データに付随する付加情報が表示される。例えば、メーカ名「ＡＡＡ」の型番「Ａ−○○Ｘ３０００」，及びメーカ名「ＢＢＢ」の型番「Ｂ−○○Ｘ２０００」「Ｂ−○○Ｘ３０００」の表示装置の画面は、図４のようにファイル名と撮影日時が表示される。
【００３０】
メインディスプレイに表示されている画像データが次の画像データに切り替えられると、サブディスプレイに表示される付加情報も切り替えられる。例えば、静止画像データをスライドショー表示させる場合は、画像データの切替タイミングに同期して付加情報も切り替えられる。
【００３１】
なお、メーカ名「ＢＢＢ」の型番「Ｂ−○○Ｘ２０００」「Ｂ−○○Ｘ３０００」の表示装置は、「ファイル名」及び「撮影日時」の他に、「シャッター速度」、「ＩＳＯ感度」、「サムネイル画像（複数のサムネイル画像の一覧）」等もサブディスプレイに表示可能である。このような場合は、ユーザが表示装置のリモコンを操作して、サブディスプレイに表示される情報を切り替えることができる構成とする。
【００３２】
図５は、付加情報が映像信号に合成されて伝送された場合の画面表示例を示す図である。メインディスプレイには、再生された画像データの映像に付加情報が合成されて表示される。例えば、メーカ名「ＡＡＡ」の型番「Ａ−○○Ｘ１０００」，「Ａ−○○Ｘ２０００」及びメーカ名「ＢＢＢ」の型番「Ｂ−○○Ｘ１０００」の表示装置の画面は、図５のように表示される。
【００３３】
以上のように、この実施の形態１では、表示装置の属性情報に基づいて、映像と付加情報とを適切な伝送形態で表示装置に出力することが可能になり、画像の鑑賞が妨げられてしまうという問題が解決される。
【００３４】
なお、表示装置がサブディスプレイを有する場合であっても、表示装置の設定情報や動作モードを映像出力装置が取得し、取得した情報に応じた合成処理を行うようにしてもよい。例えば、サブディスプレイに他の情報を優先的に表示させ、画像データの付加情報はサブディスプレイには表示させないような設定や動作モードである場合は、映像信号に付加情報を合成させて表示するようにしてもよい。
【００３５】
また、ここでは映像出力装置１０が表示装置２０の属性情報に基づいて映像信号に付加情報を合成するか否かを判定する場合について説明したが、表示装置２０から映像出力装置１０に伝送方式を指定する構成であってもよい。具体的には、映像出力装置１０と表示装置２０との間で通信が確立した後に、適切な伝送方式を設定するコマンドを表示装置２０から映像出力装置１０に送信するようにしてもよい。また、映像出力装置１０及び表示装置２０の動作状態に応じて最適な通信速度を決定するようなプログラムを、表示装置２０から映像出力装置１０に配布するようにしてもよい。また、表示装置２０がサブディスプレイ２７に表示可能ではない付加情報を映像出力装置１０側で削除してから伝送するようなプログラムを、表示装置２０から映像出力装置１０に配布するようにしてもよい。
【００３６】
（実施の形態１の変更例）
図６は、本発明の実施の形態１の変更例を示す図である。図６において、図１と同様の動作を行うブロックついては同一の符号を付し、その説明は繰り返さない。
【００３７】
映像出力装置３０の判定部３１は、属性情報取得部１６が取得した表示装置４０の属性情報に基づいて、映像復号部１２からの映像信号に付加情報抽出部１３により抽出された付加情報を合成するか否かを判定する。具体的には、判定テーブルを参照して、映像信号に付加情報を合成しないで伝送する非合成伝送方式に対応した機能を表示装置４０が有するか否かを判別する。
【００３８】
図７は、判定部３１が判定動作に用いる判定テーブルの一例を示す図である。図７の判定テーブルを参照して、メーカ名「ＡＡＡ」の型番「Ａ−○○Ｙ１０００」，「Ａ−○○Ｙ２０００」及びメーカ名「ＢＢＢ」の型番「Ｂ−○○Ｙ１０００」は非合成伝送方式に対応していないと判別される。また、メーカ名「ＡＡＡ」の型番「Ａ−○○Ｙ３０００」，及びメーカ名「ＢＢＢ」の型番「Ｂ−○○Ｙ２０００」「Ｂ−○○Ｙ３０００」は非合成伝送方式に対応していると判別される。
【００３９】
図６に戻って、出力部１４は、判定部３１により非合成伝送方式に対応していないと判定された場合は、映像復号部１２からの映像信号に、付加情報抽出部１３により抽出された付加情報を合成して通信部１５に出力する。また、出力部１４は、判定部３１により非合成伝送方式に対応していると判定された場合は、付加情報抽出部１３により抽出された付加情報を合成しないで、映像復号部１２からの映像信号を通信部１５に出力する。
【００４０】
表示装置４０が非合成伝送方式に対応している場合、映像出力装置３０から表示装置４０へ映像信号と付加情報とが合成されないで伝送される。表示装置４０の表示制御部４１は、映像処理部２３からの映像信号にデータ処理部２４からの付加情報を合成してディスプレイ４２に出力する。
【００４１】
図８は、付加情報が映像信号に合成されないで伝送された場合の画面表示例を示す図である。ディスプレイには、再生された画像データの映像の一部の領域に付加情報（例えば、ファイル名と撮影日時）が合成されて表示される。
【００４２】
図５に示したように映像出力装置側で付加情報を映像信号に合成して伝送された場合に比べて、図８に示したように表示装置側で付加情報を映像信号に合成した場合の方が、画面上に表示される付加情報の文字の精細度が高くなる。これは、デジタルカメラ等の映像出力装置３０は、主に装置本体に設けられた小型ディスプレイに表示することを想定しているためである。大画面のディスプレイを有する据置型の表示装置４０の合成処理機能は、映像出力装置３０が有する合成処理機能よりも優れていることが多いため、表示装置側で合成処理を施した方が付加情報の文字の精細度が高くなる。なお、映像出力装置３０の合成処理機能と表示装置４０の合成処理機能とを比較して、合成処理機能が優れている方の装置に合成処理を実行させる構成にしてもよい。
【００４３】
以上のように、この実施の形態１の変更例では、表示装置の属性情報に基づいて、映像と付加情報とを適切な伝送形態で表示装置に出力することが可能になり、付加情報の文字の精細度が悪くなるという問題が解決される。
【００４４】
（実施の形態２）
図９は、本発明の実施の形態２に係る表示システムの概略構成を示すブロック図である。図９において、図１と同様の動作を行うブロックついては同一の符号を付し、その説明は繰り返さない。
【００４５】
映像出力装置５０のＯＳＤ画面生成部５１は、ユーザの指示にしたがって、静止画再生メニュー、動画再生メニュー、静止画編集メニュー、動画編集メニュー、設定メニュー、印刷メニュー等の各種ＯＳＤ画面を生成する。
【００４６】
判定部５２は、属性情報取得部１６が取得した表示装置２０の属性情報に基づいて、映像復号部１２からの映像信号にＯＳＤ画面を合成するか否かを判定する。判定部５２の動作を示すフローチャートは、図２と同様であるため、ここでは説明は繰り返さない。
【００４７】
図１０は、判定部５２が判定動作に用いる判定テーブルの一例を示す図である。図１０の判定テーブルを参照して、メーカ名「ＡＡＡ」の型番「Ａ−○○Ｚ１０００」，「Ａ−○○Ｚ２０００」及びメーカ名「ＢＢＢ」の型番「Ｂ−○○Ｚ１０００」はサブディスプレイを有しないと判別される。このため、映像復号部１２からの映像信号にＯＳＤ画面を「合成する」と判定される。また、メーカ名「ＡＡＡ」の型番「Ａ−○○Ｚ３０００」，及びメーカ名「ＢＢＢ」の型番「Ｂ−○○Ｚ２０００」「Ｂ−○○Ｚ３０００」はサブディスプレイを有すると判別される。そして、メーカ名「ＡＡＡ」の型番「Ａ−○○Ｚ３０００」の場合は、静止画再生メニュー画面は、サブディスプレイに表示可能であるため、映像復号部１２からの映像信号に「合成しない」と判定される。他のメニュー画面は、サブディスプレイに表示可能でないため、映像復号部１２からの映像信号に「合成する」と判定される。メーカ名「ＢＢＢ」の型番「Ｂ−○○Ｚ２０００」の場合は、静止画再生メニュー画面及び動画再生メニュー画面は、サブディスプレイに表示可能であるため、映像復号部１２からの映像信号に「合成しない」と判定される。メーカ名「ＢＢＢ」の型番「Ｂ−○○Ｚ３０００」の場合は、静止画再生メニュー画面、動画再生メニュー画面、静止画編集メニュー画面、動画編集メニュー画面は、サブディスプレイに表示可能であるため、映像復号部１２からの映像信号に「合成しない」と判定される。
【００４８】
サブディスプレイに表示可能であると特定されたＯＳＤ画面データは、ＳＶＧ（Ｓｃａｌａｂｌｅ  Ｖｅｃｔｏｒ  Ｇｒａｐｈｉｃｓ）形式で映像出力装置５０から表示装置２０に送信される。表示装置２０のデータ処理部２４は、ＳＶＧ形式のＯＳＤ画面データに描画処理を施す。
【００４９】
図１１は、ＯＳＤ画面データが映像信号に合成されないで、映像出力装置から表示装置に伝送された場合の画面表示例を示す図である。例えば、メーカ名「ＡＡＡ」の型番「Ａ−○○Ｚ３０００」の表示装置の場合は、図１１のように、メインディスプレイには、再生された画像データの映像が表示され、サブディスプレイには、静止画再生メニュー画面が表示される。
【００５０】
図１２は、ＯＳＤ画面データが映像信号に合成されて、映像出力装置から表示装置に伝送された場合の画面表示例を示す図である。例えば、メーカ名「ＡＡＡ」の型番「Ａ−○○Ｚ３０００」の表示装置の場合は、図１２のように、メインディスプレイに、再生された画像データの映像に動画再生メニュー画面が合成されて表示される。
【００５１】
以上のように、この実施の形態２では、実施の形態１と同様の効果が得られる。具体的には、表示装置の属性情報に基づいて、映像とＯＳＤ画面とを適切な伝送形態で表示装置に出力することが可能になり、画像の鑑賞が妨げられてしまうという問題が解決される。また、ＯＳＤ画面の精細度が悪くなるという問題が解決される。
【００５２】
（実施の形態３）
図１３は、本発明の実施の形態３に係る表示システムの概略構成を示すブロック図である。図１３において、図１と同様の動作を行うブロックついては同一の符号を付し、その説明は繰り返さない。
【００５３】
映像出力装置６０の通信Ｉ／Ｆ１８と、表示装置７０の通信Ｉ／Ｆ２１とは、ケーブル２９で接続され、映像出力装置６０の通信Ｉ／Ｆ６１と、表示装置７０の通信Ｉ／Ｆ７１とは、ケーブル７２で接続されている。ケーブル２９は映像信号を伝送可能なケーブルであり、ケーブル７２は付加情報や属性情報等を伝送可能なケーブルである。ケーブル２９は、ＨＤＭＩ規格やＤＶＩ規格等に準拠したケーブルである。例えば、ＨＤＭＩケーブルの場合、映像信号はＴＭＤＳ転送チャンネルで伝送される。ケーブル７２は、ＵＳＢ（Ｕｎｉｖｅｒｓａｌ  Ｓｅｒｉａｌ  Ｂｕｓ）規格やＩＥＥＥ１３９４規格、ＲＳ２３２Ｃ規格、ＨＤＭＩ規格等に準拠したケーブルである。例えば、ＨＤＭＩケーブルの場合は、付加情報や属性情報のやりとりにはＣＥＣ転送チャンネルもしくはＤＤＣ転送チャンネルが使用される。
【００５４】
この実施の形態３では、映像信号の伝送に用いられるケーブル２９と、付加情報や属性情報等の伝送に用いられるケーブル７２とを設け、それぞれ個別に伝送する構成とした。これにより、伝送されるデータの種別に応じて適切なケーブルを使用することが可能となり、伝送速度の高速化が図れる。
【００５５】
（実施の形態４）
図１４は、本発明の実施の形態４に係る表示システムの概略構成を示すブロック図である。図１４において、図１３と同様の動作を行うブロックついては同一の符号を付し、その説明は繰り返さない。
【００５６】
ケーブル７２を介して伝送される付加情報の情報量が多い場合、ケーブルの伝送帯域の制限等により付加情報の伝送が遅延してしまうことが想定される。このため、実施の形態３の構成では、映像信号と付加情報とを同期して表示させることが困難なケースが生じる可能性がある。
【００５７】
そこで、この実施の形態４では、映像出力装置８０のユーザが操作部１９を操作して複数の画像データの連続再生を指示した場合、付加情報抽出部８１は、複数の画像データの付加情報を一括して抽出する。抽出された複数の画像データの付加情報は、出力部１４、通信部１５、通信Ｉ／Ｆ６１を介して表示装置９０に一括して伝送される。
【００５８】
表示装置９０のデータ処理部９１は、映像出力装置８０から伝送された複数の画像データの付加情報を記憶部９２に一旦格納する。データ処理部９１は、メインディスプレイ２６に表示される画像データの切替タイミングに同期して、記憶部９２から付加情報を順次読み出す。これにより、メインディスプレイ２６に表示される画像データに対応する付加情報がサブディスプレイ２７に同期して表示される。
【００５９】
なお、複数の画像データを連続再生する場合とは、例えば複数の静止画像データをスライドショー再生するケースや、プレイリストを作成して複数の動画像データを連続して再生するようなケース等がある。また、複数の画像データの付加情報を必ずしも一括して伝送する必要はなく、伝送帯域に余裕がある場合に次の画像データの付加情報を先行して伝送するようにしてもよい。
【図面の簡単な説明】
【００６０】
【図１】本発明の実施の形態１に係る表示システムの概略構成を示すブロック図である。
【図２】図１に示した判定部の動作について説明するためのフローチャートである。
【図３】判定部が判定動作に用いる判定テーブルの一例を示す図である。
【図４】付加情報が映像信号に合成されないで伝送された場合の画面表示例を示す図である。
【図５】付加情報が映像信号に合成されて伝送された場合の画面表示例を示す図である。
【図６】本発明の実施の形態１の変更例を示す図である。
【図７】図６に示した判定部が判定動作に用いる判定テーブルの一例を示す図である。
【図８】付加情報が映像信号に合成されないで伝送された場合の画面表示例を示す図である。
【図９】本発明の実施の形態２に係る表示システムの概略構成を示すブロック図である。
【図１０】図９に示した判定部が判定動作に用いる判定テーブルの一例を示す図である。
【図１１】ＯＳＤ画面データが映像信号に合成されないで、映像出力装置から表示装置に伝送された場合の画面表示例を示す図である。
【図１２】ＯＳＤ画面データが映像信号に合成されて、映像出力装置から表示装置に伝送された場合の画面表示例を示す図である。
【図１３】本発明の実施の形態３に係る表示システムの概略構成を示すブロック図である。
【図１４】本発明の実施の形態４に係る表示システムの概略構成を示すブロック図である。
【符号の説明】
【００６１】
１０  映像出力装置
１１  記憶部
１２  映像復号部
１３  付加情報抽出部
１４  出力部
１５  通信部
１６  属性情報取得部
１７  判定部
１８  通信Ｉ／Ｆ
１９  操作部
２０  表示装置
２１  通信Ｉ／Ｆ
２２  通信部
２３  映像処理部
２４  データ処理部
２５  表示制御部
２６  メインディスプレイ
２７  サブディスプレイ
２８  記憶部
２９  ケーブル
【図１】
0005147438.tif 000002
【図２】
0005147438.tif 000003
【図３】
0005147438.tif 000004
【図４】
0005147438.tif 000005
【図５】
0005147438.tif 000006
【図６】
0005147438.tif 000007
【図７】
0005147438.tif 000008
【図８】
0005147438.tif 000009
【図９】
0005147438.tif 000010
【図１０】
0005147438.tif 000011
【図１１】
0005147438.tif 000012
【図１２】
0005147438.tif 000013
【図１３】
0005147438.tif 000014
【図１４】
0005147438.tif 000015